(57)【特許請求の範囲】
【請求項１】
入力情報を無線送信するワイヤレス・キーボードとこのワイヤレス・キーボードからの入力情報を受信するコンピュータ装置とからなるワイヤレス・キーボード・システムにおいて、
前記ワイヤレス・キーボードは、それぞれ異なる方向に指向性を持つように配置された複数のアンテナと、この各アンテナの中から１つを選択する選択手段と、この選択手段にて選択したアンテナを使用して予め決められた感度測定用データを無線送信する送信手段を設け、
前記コンピュータ装置は、前記ワイヤレス・キーボードからの感度測定用データを受信する受信部と、この受信部が受信したデータの受信感度や受信したデータの正確性を判断する判断手段と、報知手段を設け、
前記ワイヤレス・キーボードは前記選択手段にて前記各アンテナを順次選択し、それぞれの選択毎に感度測定用データを無線送信し、前記コンピュータ装置は前記各アンテナから送信される感度測定用データを受信する毎に前記判断手段にてデータの受信感度や受信したデータの正確性を判断し、その結果を前記報知手段に報知させることを特徴とするワイヤレス・キーボード・システム。
【請求項２】
入力情報を無線送信するワイヤレス・キーボードとこのワイヤレス・キーボードからの入力情報を受信するコンピュータ装置とからなるワイヤレス・キーボード・システムにおいて、
前記ワイヤレス・キーボードは、向きを可変して指向性を異なる方向に可変できるアンテナと、このアンテナを使用して予め決められた感度測定用データを無線送信する送信手段を設け、
前記コンピュータ装置は、前記ワイヤレス・キーボードからの感度測定用データを受信する受信部と、この受信部が受信したデータの受信感度や受信したデータの正確性を判断する判断手段と、報知手段を設け、
前記ワイヤレス・キーボードは前記アンテナの向きを順次可変し、それぞれの向きにおいて感度測定用データを無線送信し、前記コンピュータ装置は前記アンテナから送信される感度測定用データをそれぞれの向きにおいて受信する毎に前記判断手段にてデータの受信感度や受信したデータの正確性を判断し、その結果を前記報知手段に報知させることを特徴とするワイヤレス・キーボード・システム。
【請求項３】
入力情報を無線送信するワイヤレス・キーボードとこのワイヤレス・キーボードからの入力情報を受信するコンピュータ装置とからなるワイヤレス・キーボード・システムにおいて、
前記ワイヤレス・キーボードは、アンテナと、このアンテナを使用して予め決められた感度測定用データを無線送信する送信手段を設け、
前記コンピュータ装置は、それぞれ異なる方向に指向性を持つように配置された複数のアンテナと、この各アンテナの中から１つを選択する選択手段と、この選択手段にて選択したアンテナを使用して前記ワイヤレス・キーボードからの感度測定用データを受信する受信部と、この受信部が受信したデータの受信感度や受信したデータの正確性を判断する判断手段と、報知手段を設け、
前記コンピュータ装置は前記ワイヤレス・キーボードから送信される感度測定用データを前記選択手段にて前記各アンテナを順次選択しながら受信し、それぞれのアンテナで受信する毎に前記判断手段にてデータの受信感度や受信したデータの正確性を判断し、その結果を前記報知手段に報知させることを特徴とするワイヤレス・キーボード・システム。
【請求項４】
入力情報を無線送信するワイヤレス・キーボードとこのワイヤレス・キーボードからの入力情報を受信するコンピュータ装置とからなるワイヤレス・キーボード・システムにおいて、
前記ワイヤレス・キーボードは、アンテナと、このアンテナを使用して予め決められた感度測定用データを無線送信する送信手段を設け、
前記コンピュータ装置は、向きを可変して指向性を異なる方向に可変できるアンテナと、このアンテナを駆動して向きを可変させる駆動手段と、前記ワイヤレス・キーボードからの感度測定用データを受信する受信部と、この受信部が感度測定用データを受信すると、データの受信感度や受信したデータの正確性を判断する判断手段と、報知手段を設け、
前記コンピュータ装置は前記ワイヤレス・キーボードから送信される感度測定用データを前記アンテナの向きを可変してそれぞれ受信し、受信する毎に前記判断手段にてデータの受信感度や受信したデータの正確性を判断し、その結果を前記報知手段に報知させることを特徴とするワイヤレス・キーボード・システム。
【請求項５】
それぞれ異なる方向に指向性を持つように配置された複数のアンテナを有するワイヤレス・キーボードから前記各アンテナを切換えて感度測定用データを無線送信する場合に、
コンピュータ装置を、前記ワイヤレス・キーボードから送信される感度測定用データを受信部が受信すると、この受信したデータの受信感度や受信したデータの正確性を判断する判断手段、前記ワイヤレス・キーボードが各アンテナを切換える毎に前記判断手段が判断した結果を報知手段に報知させる手段として機能させるためのプログラムを記録したコンピュータ読み取り可能な記録媒体。
【請求項６】
向きを可変して指向性を異なる方向に可変できるアンテナを有するワイヤレス・キーボードから前記アンテナを切換えて感度測定用データを無線送信する場合に、
コンピュータ装置を、前記ワイヤレス・キーボードから送信される感度測定用データを受信部が受信すると、この受信したデータの受信感度や受信したデータの正確性を判断する判断手段、前記ワイヤレス・キーボードがアンテナの向きを順次可変する毎に前記判断手段が判断した結果を報知手段に報知させる手段として機能させるためのプログラムを記録したコンピュータ読み取り可能な記録媒体。
【発明の詳細な説明】
【０００１】
【発明の属する技術分野】
本発明は、ワイヤレス・キーボードとコンピュータ装置からなるワイヤレス・キーボード・システム及びプログラムを記録したコンピュータ読み取り可能な記録媒体に関する。
【０００２】
【従来の技術】
従来、オペレータが入力をするとその入力情報を電波により送信するキーボードと、この送信された入力情報を受信部で受信するコンピュータ装置とで構成されるワイヤレス・キーボード・システムが知られている。
【０００３】
【発明が解決しようとする課題】
このようなワイヤレス・キーボード・システムでは、ワイヤレス・キーボードによる入力情報の送信が電波で行われるため、ワイヤレス・キーボードと受信部の間に何らかの障害が有ると受信感度が悪くなる場合や、特に酷いときは電波が遮断されて入力情報が受信部で受信できないということがあった。
【０００４】
このような事態を回避するためオペレータは受信部が受信できるようにワイヤレス・キーボードの向きや位置を変えたり、受信部の受信向きを調節したりなどしていた。また、オペレータがワイヤレス・キーボードと受信部の受信向きの両方を動かして受信できるようにすることもあった。
【０００５】
しかし、ワイヤレス・キーボードはできるだけオペレータの好む方向で作業することが操作性上好ましいので電波の受信感度を上げるためにワイヤレス・キーボードの向きや位置を変化させないことが望ましかった。また、オペレータが受信部の受信向きを動かすためにコンピュータ装置の近くまで行かなければならず大変煩わしかった。
【０００６】
本発明は上記事情に鑑みてなされたものであって、その目的は、ワイヤレス・キーボードの向きや位置を変化させることなくワイヤレス・キーボードとコンピュータ装置との無線通信状態を良好にすることができ、これにより、ワイヤレス・キーボードの設置位置の制約を低減できるワイヤレス・キーボード・システムを提供することにある。
【０００７】
また、本発明は、コンピュータ装置が、ワイヤレス・キーボードに対して自己との無線通信状態を良好にするように指示できる機能を果たすためのプログラムを記録したコンピュータ読み取り可能な記録媒体を提供することにある。
【０００８】
【課題を解決するための手段】
請求項１記載の発明は、入力情報を無線送信するワイヤレス・キーボードとこのワイヤレス・キーボードからの入力情報を受信するコンピュータ装置とからなるワイヤレス・キーボード・システムにおいて、ワイヤレス・キーボードは、それぞれ異なる方向に指向性を持つように配置された複数のアンテナと、この各アンテナの中から１つを選択する選択手段と、この選択手段にて選択したアンテナを使用して予め決められた感度測定用データを無線送信する送信手段を設け、コンピュータ装置は、ワイヤレス・キーボードからの感度測定用データを受信する受信部と、この受信部が受信したデータの受信感度や受信したデータの正確性を判断する判断手段と、報知手段を設け、ワイヤレス・キーボードは選択手段にて各アンテナを順次選択し、それぞれの選択毎に感度測定用データを無線送信し、コンピュータ装置は各アンテナから送信される感度測定用データを受信する毎に判断手段にてデータの受信感度や受信したデータの正確性を判断し、その結果を報知手段に報知させるワイヤレス・キーボード・システムである。
【０００９】
請求項２記載の発明は、入力情報を無線送信するワイヤレス・キーボードとこのワイヤレス・キーボードからの入力情報を受信するコンピュータ装置とからなるワイヤレス・キーボード・システムにおいて、ワイヤレス・キーボードは、向きを可変して指向性を異なる方向に可変できるアンテナと、このアンテナを使用して予め決められた感度測定用データを無線送信する送信手段を設け、コンピュータ装置は、ワイヤレス・キーボードからの感度測定用データを受信する受信部と、この受信部が受信したデータの受信感度や受信したデータの正確性を判断する判断手段と、報知手段を設け、ワイヤレス・キーボードはアンテナの向きを順次可変し、それぞれの向きにおいて感度測定用データを無線送信し、コンピュータ装置はアンテナから送信される感度測定用データをそれぞれの向きにおいて受信する毎に判断手段にてデータの受信感度や受信したデータの正確性を判断し、その結果を報知手段に報知させるワイヤレス・キーボード・システムである。
【００１２】
請求項３記載の発明は、入力情報を無線送信するワイヤレス・キーボードとこのワイヤレス・キーボードからの入力情報を受信するコンピュータ装置とからなるワイヤレス・キーボード・システムにおいて、ワイヤレス・キーボードは、アンテナと、このアンテナを使用して予め決められた感度測定用データを無線送信する送信手段を設け、コンピュータ装置は、それぞれ異なる方向に指向性を持つように配置された複数のアンテナと、この各アンテナの中から１つを選択する選択手段と、この選択手段にて選択したアンテナを使用してワイヤレス・キーボードからの感度測定用データを受信する受信部と、この受信部が受信したデータの受信感度や受信したデータの正確性を判断する判断手段と、報知手段を設け、コンピュータ装置はワイヤレス・キーボードから送信される感度測定用データを選択手段にて各アンテナを順次選択しながら受信し、それぞれのアンテナで受信する毎に判断手段にてデータの受信感度や受信したデータの正確性を判断し、その結果を前記報知手段に報知させるワイヤレス・キーボード・システムである。
【００１３】
請求項４記載の発明は、入力情報を無線送信するワイヤレス・キーボードとこのワイヤレス・キーボードからの入力情報を受信するコンピュータ装置とからなるワイヤレス・キーボード・システムにおいて、ワイヤレス・キーボードは、アンテナと、このアンテナを使用して予め決められた感度測定用データを無線送信する送信手段を設け、コンピュータ装置は、向きを可変して指向性を異なる方向に可変できるアンテナと、このアンテナを駆動して向きを可変させる駆動手段と、ワイヤレス・キーボードからの感度測定用データを受信する受信部と、この受信部が感度測定用データを受信すると、データの受信感度や受信したデータの正確性を判断する判断手段と、報知手段を設け、コンピュータ装置はワイヤレス・キーボードから送信される感度測定用データをアンテナの向きを可変してそれぞれ受信し、受信する毎に判断手段にてデータの受信感度や受信したデータの正確性を判断し、その結果を前記報知手段に報知させるワイヤレス・キーボード・システムである。
【００１４】
請求項５記載の発明は、それぞれ異なる方向に指向性を持つように配置された複数のアンテナを有するワイヤレス・キーボードから各アンテナを切換えて感度測定用データを無線送信する場合に、コンピュータ装置を、ワイヤレス・キーボードから送信される感度測定用データを受信部が受信すると、この受信したデータの受信感度や受信したデータの正確性を判断する判断手段、ワイヤレス・キーボードが各アンテナを切換える毎に判断手段が判断した結果を報知手段に報知させる手段として機能させるためのプログラムを記録したコンピュータ読み取り可能な記録媒体である。
【００１５】
請求項６記載の発明は、向きを可変して指向性を異なる方向に可変できるアンテナを有するワイヤレス・キーボードからアンテナを切換えて感度測定用データを無線送信する場合に、コンピュータ装置を、ワイヤレス・キーボードから送信される感度測定用データを受信部が受信すると、この受信したデータの受信感度や受信したデータの正確性を判断する判断手段、ワイヤレス・キーボードがアンテナの向きを順次可変する毎に判断手段が判断した結果を報知手段に報知させる手段として機能させるためのプログラムを記録したコンピュータ読み取り可能な記録媒体である。
【００１６】
【発明の実施の形態】
以下、本発明の実施の形態について図面を参照して説明する。
（第１の実施の形態）
図１は本発明のワイヤレス・キーボード・システムの構成を示す図である。１はコンピュータ装置、２はワイヤレス・キーボードである。コンピュータ装置１には報知手段である表示部３、アンテナ４が設けられ、ワイヤレス・キーボード２には入力を行うためのキーボード５、それぞれ異なる方向に指向性を持つように配置された複数のアンテナ６ａ,６ｂ,６ｃが設けられている。
【００１７】
前記キーボード５には、「Ｃｔｒｌ」「Ｓｈｉｆｔ」「Ｆ１」「Ｆ２」「Ｆ３」「Ｅｎｔｅｒ」などのキーが設けられている。
【００１８】
また、ワイヤレス・キーボード２に入力が行われるとその入力情報がアンテナ６ａ,６ｂ,６ｃの１つから送信されるようになっている。コンピュータ装置１はこの送信された入力情報をアンテナ４で受信するようになっている。
【００１９】
図２は前記ワイヤレス・キーボード・システムの制御ブロック図である。前記ワイヤレス・キーボード２は制御部本体としてのＣＰＵ（中央処理装置）２１、感度測定用データなどを記憶する記憶部２２、前記キーボード５のキーマトリックス２３、情報を送信制御する送信モジュール２４、前記ＣＰＵ２１に制御されてアンテナ６ａ，６ｂ，６ｃから１つを選択するアンテナセレクター２５を設けている。前記ＣＰＵ２１とアンテナセレクター２５はアンテナの選択手段を構成し、前記ＣＰＵ２１と送信モジュール２４は送信手段を構成している。
【００２０】
前記コンピュータ装置１は制御部本体としてのＣＰＵ３１、前記ワイヤレス・キーボード２から受信した情報などを記憶する記憶部３２、前記アンテナ４で受信した情報を受信処理する受信モジュール３３、前記アンテナ４が受信した電波の感度を検出するレベル検出部３４、前記表示部３をコントロールする表示コントローラ３５を設けている。前記アンテナ４と受信モジュール３３は受信部を構成し、前記ＣＰＵ３１は判断手段を構成している。
【００２１】
前記ワイヤレス・キーボード２は、キーボード５の操作が行われると、キーマトリックス２３からキー信号を出力しＣＰＵ２１に供給する。前記ＣＰＵ２１はキー信号に基づいて入力情報を送信モジュール２４に供給する。また、前記ＣＰＵ２１はアンテナセレクター２５を制御しそのアンテナセレクター２５に１つのアンテナを選択させる。前記送信モジュール２４は選択されたアンテナを介して入力情報を無線送信するようになっている。
【００２２】
前記コンピュータ装置１は、前記ワイヤレス・キーボード２から無線送信される入力情報を前記アンテナ４で受信した後、前記受信モジュール３３を介して前記ＣＰＵ３１で取り込んで前記記憶部３２に記憶するとともに前記アンテナ４で受信した電波の受信感度のレベルをレベル検出部３４で検出し、これを前記ＣＰＵ３１が取り込んで前記記憶部３２に記憶するようになっている。
【００２３】
また、前記ワイヤレス・キーボード２は、キーボード５において、「Ｃｔｒｌ」、「Ｓｈｉｆｔ」、「Ｆ１」の各キーが同時に操作されたときにはアンテナ選択モードとなり、このモードにおいては前記記憶部２２に予め設定されている感度測定用データが選択されたアンテナを経由して前記コンピュータ装置１に無線送信されるようになっている。この場合のアンテナの選択はオペレータのキー操作によりＣＰＵ２１がアンテナセレクター２５を制御して行い、このときに選択したアンテナの識別コードがコンピュータ装置１に送信されるようになっている。そして、このアンテナ選択モードでは、選択したアンテナから１秒間隔で感度測定用データを１０回送信するようになっている。
【００２４】
前記コンピュータ装置１は、ワイヤレス・キーボード２から選択されたアンテナの識別コードを受信するとどのアンテナが選択されたかを判断し、この状態で感度測定用データを受信するとＣＰＵ３１が受信モジュール３３から感度測定用データを取り込み、この感度測定用データを前記記憶部３２に予め設定されている感度測定用データと比較してデータの正確性を判断し、感度測定用データの受信回数とデータの正確性を判断した回数を記憶部３２内に設けたカウンタでカウントし、その結果を識別コードによってアンテナ毎に分けて前記記憶部３２の別のエリアに記憶するようにしている。従って、ワイヤレス・キーボード２においてオペレータの操作により１つのアンテナが選択されたときには、コンピュータ装置１は、感度測定用データの受信回数「１０」とデータの正確性を判断した回数をそのアンテナの識別コードと共に記憶部３２に記憶することになる。
【００２５】
図３はワイヤレス・キーボード２においてアンテナ選択モードが設定され、このワイヤレス・キーボード２から感度測定用データが送信されたときの、コンピュータ装置１の制御を示す流れ図である。
【００２６】
先ず、ステップＳＴ１にて、アンテナの識別コードを受信しアンテナ６ａ，６ｂ，６ｃのどれが選択されたかを受け付け、ステップＳＴ２にて、記憶部３２に設けたカウンタＪ及びカウンタＫをクリアする。続いて、ステップＳＴ３にて、感度測定用データの受信を開始し、ステップＳＴ４にて、カウンタＪに１を加算する。
【００２７】
次に、ステップＳＴ５にて、レベル検出部３４により受信した感度測定用データの受信感度を検出して表示部３に表示する。続いて、ステップＳＴ６にて、受信した感度測定用データと記憶部３２に格納されている感度測定用データとを比較してデータの正確性を判断する。
【００２８】
この判断で正確である判断されると、ステップＳＴ７にて、カウンタＫに１を加算する。そして、ステップＳＴ８にて、カウンタＪ及びＫの内容を表示部３へ表示する。
【００２９】
次に、ステップＳＴ９にて、カウンタＪが感度測定用データを受信する設定回数「１０」となっているかの判断を行い、カウンタＪが「１０」を計数していない判断すると、ステップＳＴ３に戻り上述した処理を繰り返し、カウンタＪが「１０」を計数していると判断すると、ステップＳＴ１０にて、アンテナの選択が終了したかの判断を行う。アンテナの選択が終了していなければステップＳＴ１に戻り上述した処理を繰り返す。
【００３０】
また、ステップＳＴ１０にて、アンテナの選択が終了したと判断すると、ステップＳＴ１１にて、記憶部３２に格納されているアンテナ毎の感度測定用データを受信した回数、その受信したデータの正確性を判断した回数を表示部３に表示して処理を終了する。
【００３１】
このような構成のワイヤレス・キーボード・システムの作用について図４を参照して説明する。図４はアンテナ選択モードのときのコンピュータ装置１の表示部３の表示を示した図である。
【００３２】
先ず、オペレータは電源が入力された状態のワイヤレス・キーボード・システムにおいて、オペレータの操作しやすい位置及び向きにワイヤレス・キーボード２を移動する。
【００３３】
そして、オペレータはキーボード５の「Ｃｔｒｌ」「Ｓｈｉｆｔ」「Ｆ１」を同時入力する。
【００３４】
次に、オペレータはキーボード５への入力により送信状態を調べるアンテナを選択する。このアンテナの選択は例えば、アンテナ６ａは「Ｆ１」、アンテナ６ｂは「Ｆ２」、アンテナは６ｃ「Ｆ３」、アンテナを選択せずに終了するときは「Ｅｎｔｅｒ」を入力することにより行う。
【００３５】
オペレータの「Ｆ１」の入力により先ずアンテナ６ａの識別コードがコンピュータ装置１に送信される。続いて、ワイヤレス・キーボード２は１秒間隔で感度測定用データを１０回送信する。この１０回感度測定用データが送信されたときにコンピュータ装置１の表示部３にされる表示を図４（ａ）に示す。図４（ａ）には、受信感度、データ受信回数、正確性を判断した回数が表示されている。
【００３６】
そして、アンテナ６ａによる感度測定用データの送信及び結果の表示が終了すると、オペレータは、続いて、「Ｆ２」，「Ｆ３」とキーを入力してアンテナ６ｂ，６ｃを順次選択することになる。このときに表示部３にされる表示を図４（ｂ），（ｃ）にそれぞれ示す。図４（ｂ），（ｃ）にも受信感度、データ受信回数、正確性を判断した回数が表示されている。
【００３７】
そして、すべてのアンテナについて終了すると、オペレータは「Ｅｎｔｅｒ」を入力する。この入力により、表示部３には図４（ｄ）に示す表示が行われる。図４（ｄ）はアンテナ６ａ，６ｂ，６ｃの送信状態を一画面で表示している。
【００３８】
オペレータはこの表示を見て最も良いアンテナを決める。図４（ｄ）はアンテナ６ａが一番受信状態が良い状態を示している。続いて、オペレータは「Ｃｔｒｌ」「Ｓｈｉｆｔ」「Ｆ２」を同時入力する。この入力情報をコンピュータ装置１が受信すると、アンテナ選択モードを終了する。そして、オペレータは改めて受信状態が最も良いアンテナ６ａに切換える。
【００３９】
このようにしてワイヤレス・キーボード２の向きや位置を変更せずにそれぞれ異なる方向に指向性を持つ複数のアンテナ６ａ，６ｂ，６ｃから最適なアンテナ６ａを選択し良好な無線送信をすることができるので、ワイヤレス・キーボード２の設置位置の制限を低減できる。
【００４０】
なお、この実施の形態においてはワイヤレス・キーボード２にそれぞれ異なる方向に指向性を持つ３つのアンテナ６ａ，６ｂ，６ｃを配置したものについて述べたが必ずしもこれに限定するものではない。
【００４１】
例えば、図５に示すように、ワイヤレス・キーボード２に回転可能な台を設け、その台上に所定の角度回動するようなアンテナ６ｄを使用し、このアンテナ６ｄの角度を変えて指向性の方向を可変し、指向性の方向を可変する毎にコンピュータ装置１において受信感度、データ受信回数、データの正確性を測定し、その結果を表示部３に表示するようにしてもよい。
【００４２】
（第２の実施の形態）
なお、前述した実施の形態と同一の部分には同一の符号を付し詳細な説明は省略する。
図６は本発明のワイヤレス・キーボード・システムの制御ブロック図である。
前記実施の形態と異なるのは、ワイヤレス・キーボード２に受信手段を構成する受信モジュール２６を設け、コンピュータ装置1に受信モジュール３３に代えて送受信部を構成する送受信モジュール３６を設けたことである。
【００４３】
このように構成されているワイヤレス・キーボード・システムなのでワイヤレス・キーボード２とコンピュータ装置１とが送受信できるようになっている。
前記ワイヤレス・キーボード２において、ＣＰＵ２１とアンテナセレクター２５は、第１及び第２の選択手段を構成している。
【００４４】
すなわち、前記ワイヤレス・キーボード２からコンピュータ装置１に感度測定用データを送信するとき、前記ワイヤレス・キーボード２は、ＣＰＵ２１によりアンテナセレクター２５を制御し、アンテナ６ａ，６ｂ，６ｃのうち１を選択する（第１の選択手段）。
【００４５】
前記コンピュータ装置１は、前記実施の形態と同様に、記憶部３２にアンテナ６ａ，６ｂ，６ｃから受信した感度測定用データのデータ受信回数、データの正確性を判断した回数を記憶する。そして、その記憶したデータから受信状態が最も良いアンテナを選択し、その選択したアンテナを最適アンテナ情報としてワイヤレス・キーボード２に送信する。
【００４６】
前記ワイヤレス・キーボード２はこの最適アンテナ情報を受信すると、ＣＰＵ２１とアンテナセレクター２５により最適アンテナ情報に基づいて使用するアンテナを選択する（第２の選択手段）。
【００４７】
このように本実施の形態においてもワイヤレス・キーボード２の向きや位置を変更せずにそれぞれ異なる方向に指向性を持つ複数のアンテナから最適なアンテナを選択できるので、ワイヤレス・キーボード２の設置位置の制限を低減できる。しかも、ワイヤレス・キーボード２は最適なアンテナをコンピュータ装置１からの最適アンテナ情報にしたがって自動的に選択するので操作性を向上できる。
【００４８】
なお、この実施の形態においてはワイヤレス・キーボード２にそれぞれ異なる方向に指向性を持つ複数のアンテナを配置したものについて述べたが必ずしもこれに限定するものではない。
【００４９】
例えば、ワイヤレス・キーボード２に回転可能な台を設け、その台上に所定の角度回動するようなアンテナを使用し、このアンテナをＣＰＵ２１によって制御される駆動手段によって回動させて指向性の方向を可変できるようにする。そして、指向性の方向を可変する毎にコンピュータ装置１において、データ受信回数、データの正確性を判断した回数を記憶部３２に記憶し、その結果からアンテナの最も受信状態の良い向きを判断し、その向きを最適向き情報としてワイヤレス・キーボード２に送信する。ワイヤレス・キーボード２はこの最適向き情報を受信すると、ＣＰＵ２１が最適向き情報に基づいて前記駆動手段を動作させ自動的にアンテナの向きを最適な向きに向けるようにしてもよい。
【００５０】
なお、前述した両実施の形態においては、異なる方向に指向性を持つ複数のアンテナや回動自在なアンテナをワイヤレス・キーボード２に設けたものについて述べたが、これに限定されるものではない。
【００５１】
例えば、図７に示すように、ワイヤレス・キーボード２にアンテナ６ｂのみを設け、コンピュータ装置１に異なる方向に指向性を持つ複数のアンテナ４ａ，４ｂ，４ｃを設け、各アンテナ４ａ，４ｂ，４ｃ毎にコンピュータ装置１がデータ受信回数及びデータの正確性を判断した回数を記憶部３２に記憶し、測定結果から最も受信状態の良いアンテナを自動的に選択するようにしてもよい。
【００５２】
また、図８に示すように、ワイヤレス・キーボード２にアンテナ６ｂのみを設け、コンピュータ装置１に回動自在なアンテナ４ｄとこれを駆動する駆動手段を設け、ＣＰＵ３１により駆動手段を制御してアンテナ４ｄを回動して指向性の方向を可変できるようにし、アンテナ４ｄの指向性の方向を可変する毎に記憶部３２にデータ受信回数、データの正確性を判断した回数を記憶し、その測定結果から駆動手段を駆動してアンテナ４ｄを最も受信状態の良い向きに向けるようにしてもよい。
【００５３】
【発明の効果】
請求項１から請求項４記載の発明によれば、ワイヤレス・キーボードの向きや位置を変化させることなくワイヤレス・キーボードとコンピュータ装置との無線通信状態を良好にすることができ、これにより、ワイヤレス・キーボードの設置位置の制約を低減できる。
【００５４】
また、請求項５及び請求項６記載の発明によれば、コンピュータ装置が、ワイヤレス・キーボードに対して自己との無線通信状態を良好にするように指示できる機能を果たすためのプログラムを記録したコンピュータ読み取り可能な記録媒体を提供できる。
【図面の簡単な説明】
【図１】  本発明の第１の実施の形態に係るワイヤレス・キーボード・システムの構成を示す図。
【図２】  同実施の形態のワイヤレス・キーボード・システムの制御ブロック図。
【図３】  同実施の形態のコンピュータ装置の処理を示す流れ図。
【図４】  同実施の形態の表示部の表示を示す図。
【図５】  同実施の形態の他のワイヤレス・キーボード・システムの構成を示す図。
【図６】  本発明の第１の実施の形態に係るワイヤレス・キーボード・システムの構成を示す図。
【図７】  本発明の他のワイヤレス・キーボード・システムの構成を示す図。
【図８】  本発明の他のワイヤレス・キーボード・システムの構成を示す図。
【符号の説明】
１・・・コンピュータ装置
２・・・ワイヤレス・キーボード
３・・・表示部
４，６ａ，６ｂ，６ｃ，６ｄ・・・アンテナ
２１，３１・・・ＣＰＵ
２４・・・送信モジュール
３３・・・受信モジュール
３４・・・レベル検出部
３６・・・送受信モジュール
【図１】
0004559651.tif 000002
【図２】
0004559651.tif 000003
【図３】
0004559651.tif 000004
【図４】
0004559651.tif 000005
【図５】
0004559651.tif 000006
【図６】
0004559651.tif 000007
【図７】
0004559651.tif 000008
【図８】
0004559651.tif 000009